(57)【要約】【課題】防水パンを用いた構築した浴室の室内を広くする。【解決手段】浴室１の防水パン１０と浴室外５５の間に垂直に延びる間仕切り領域Ａを形成し、間仕切り領域Ａに、両表面の一方が浴室１内に面し他方が浴室外５５に面する間仕切り５２，５３を据え付けたこと。間仕切り５２は、起立する間仕切り本体である揺動式扉２５と、揺動式扉２５の下端部が水密に当接する防水受け部２６を備え、間仕切り５３は、起立する間仕切り本体である仕切壁体６７と、仕切壁体６７の下端部が水密に当接する防水受け部６６を備え、両防水受け部２６，６６の側縁を防水パン１０の内側に位置させてある。【効果】  浴室１の防水パン１０より外側に間仕切り５２，５３が配置されるので、浴室１の室内を広くできる。【選択図】図１４
2005248419.tif 000002
【特許請求の範囲】
【請求項１】
浴室の防水パン等からなる防水床部と浴室外の間に垂直に延びる間仕切り領域を形成し、該間仕切り領域に、両表面の一方が浴室内に面し他方が浴室外に面する間仕切りを据え付けたことを特徴とする浴室と室外の間仕切り構造。
【請求項２】
前記間仕切りは、起立する間仕切り本体と、該間仕切り本体の下方に位置する防水受け部を備え、該防水受け部の前記間仕切り領域から突出する側縁を前記防水床部の内側に位置させた請求項１記載の浴室と室外の間仕切り構造。
【請求項３】
前記間仕切り領域に位置する土台の上に、前記防水受け部を据え付けた請求項２記載の浴室と室外の間仕切り構造。
【請求項４】
前記間仕切り本体を下部水切り片の有る揺動式扉で形成し、前記防水受け部の上面に受け面を形成し、該揺動式扉が揺動するときに該下部水切り片を該受け面に摺接させると共に、該揺動式扉が閉状態のときに該下部水切り片の全域を該受け面に当接させる請求項２又は３記載の浴室と室外の間仕切り構造。
【請求項５】
前記防水受け部は、固定配置した上端開口の下方部材と、下端開口して上面に前記受け面を形成した上方部材を備え、該下方部材に該上方部材を覆いかぶせて、上方部材の一方の側片を前記防水床部の内側に位置させ、上方部材の他方の側片を下方部材の側片に連結した請求項４記載の浴室と室外の間仕切り構造。
【請求項６】
前記間仕切り本体を仕切壁板で形成し、前記防水受け部の上面に凹溝を形成し、該凹溝に該仕切壁板の下端部を水密に嵌入して固定した請求項２又は３記載の浴室と室外の間仕切り構造。
【請求項７】
前記間仕切り本体を下部水切り片の有る揺動式扉と仕切壁板で形成し、前記防水受け部の上面に、受け面を形成した領域と凹溝を形成した領域を一列状に隣接させて備え、該揺動式扉が揺動したときに該下部水切り片を該受け面に摺接させると共に、該揺動式扉が閉状態のときに該下部水切り片の全域を該受け面に当接させ、該凹溝に該仕切壁板の下端部を水密に嵌入して固定した請求項２又は３記載の浴室と室外の間仕切り構造。
【請求項８】
前記防水受け部は、前記受け面を形成した領域及び前記凹溝を形成した領域の総和長さに相当する長さ寸法の上端開口の下方溝型部材と、前記受け面を形成した領域の長さに相当する長さ寸法の下端開口した幅広の溝型部及び前記凹溝を形成した領域の長さに相当する長さ寸法の下端開口した幅狭の溝型部を一体に形成すると共に、両溝型部の一方の側片を一直線状に延ばした上方溝型部材を備え、該下方溝型部材に該上方溝型部材の幅広の溝型部を覆いかぶせて、下方溝型部材の他方の側片の内面側と上方溝型部材の幅狭の溝型部の他方の側片の内面側とを対面させた請求項７記載の浴室と室外の間仕切り構造。
【請求項９】
前記下方溝型部材の他方の側片の外面側と上方溝型部材の幅広の溝型部の他方の側片の内面側とを対面させ、これら側片どうしを連結した請求項８記載の浴室と室外の間仕切り構造。
【請求項１０】
前記間仕切りは、上面が前記防水床部より上方へ突出するように据え付けた仕切架台と、該仕切架台の上面に下端部を水密に連結した仕切壁板を備えた請求項１記載の浴室と室外の間仕切り構造。
【請求項１１】
前記間仕切り領域に位置する土台の上に、前記仕切架台を据え付けた請求項１０記載の浴室と室外の間仕切り構造。
【請求項１２】
前記仕切架台から延長した防水片を前記防水床部の内側に位置させた請求項１０又は１１記載の浴室と室外の間仕切り構造。
【発明の詳細な説明】
【技術分野】
【０００１】
本発明は、浴室と浴室外の間に設ける間仕切りの構造に関するものである。
【背景技術】
【０００２】
防水パンを用いた浴室と浴室外の間に設ける間仕切りは、仕切壁板や扉からなり、防水パンの側縁水平部に、仕切壁板及び扉用枠体を据え付けてある。（特許文献１）
【特許文献１】特開平９−３２８７９７号公報
【発明の開示】
【発明が解決しようとする課題】
【０００３】
浴室内の平面寸法は、防水パンの側縁水平部に間仕切りを据え付けてあるため、防水パンの平面寸法より間仕切りの厚み寸法だけ小さい寸法となる。もし、防水パンの平面寸法と略同等の平面寸法の浴室内とすることができれば、浴室内の従来より広くでき、快適な入浴ができるようになる。
そこで、本発明は、従来に比べて浴室内を広くすることができる浴室と室外の間仕切り構造を提供することを目的とする。
【課題を解決するための手段】
【０００４】
浴室内を広くするために請求項１記載の発明が採用した手段は、浴室の防水パン等からなる防水床部と浴室外の間に垂直に延びる間仕切り領域を形成し、該間仕切り領域に、両表面の一方が浴室内に面し他方が浴室外に面する間仕切りを据え付けたことを特徴とする浴室と室外の間仕切り構造である。
本発明にあっては、浴室の防水床部より外側に間仕切りが配置される。
【０００５】
浴室内で間仕切り表面に生じた水滴を浴室内へ導くために請求項２記載の発明が採用した手段は、前記間仕切りは、起立する間仕切り本体と、該間仕切り本体の下方に位置する防水受け部を備え、該防水受け部の前記間仕切り領域から突出する側縁を前記防水床部の内側に位置させた請求項１記載の浴室と室外の間仕切り構造である。
本発明にあっては、浴室内で間仕切り本体の表面から防水受け部へ滴下した水滴は、防水床部の内側へ確実に導かれる。
【０００６】
所定位置に防水受け部を確実に配置するために請求項３記載の発明が採用した手段は、前記間仕切り領域に位置する土台の上に、前記防水受け部を据え付けた請求項２記載の浴室と室外の間仕切り構造である。
本発明にあっては、不動の土台に据え付けた防水受け部が移動することはない。
【０００７】
間仕切り本体を形成する揺動式扉の下部を、円滑に開閉させると共に閉状態のときに漏水しないようにするために請求項４記載の発明が採用した手段は、前記間仕切り本体を下部水切り片の有る揺動式扉で形成し、前記防水受け部の上面に受け面を形成し、該揺動式扉が揺動するときに該下部水切り片を該受け面に摺接させると共に、該揺動式扉が閉状態のときに該下部水切り片の全域を該受け面に当接させる請求項２又は３記載の浴室と室外の間仕切り構造である。
本発明にあっては、揺動式扉は、開閉するときにの下部水切り片を防水受け部の受け面に摺接させることで円滑に開閉できると共に、閉状態のときにの下部水切り片の全域を防水受け部の受け面に当接させることで水密性を保つ。
【０００８】
防水受け部を見栄えよく配置するために請求項５記載の発明が採用した手段は、前記防水受け部は、固定配置した上端開口の下方部材と、下端開口して上面に前記受け面を形成した上方部材を備え、該下方部材に該上方部材を覆いかぶせて、上方部材の一方の側片を前記防水床部の内側に位置させ、上方部材の他方の側片を下方部材の側片に連結した請求項４記載の浴室と室外の間仕切り構造である。なお、該下方部材及び／又は該上方部材は、溝型材で形成することもある。
本発明にあっては、下方部材を固定する連結部材が上方部材で覆われて見えなく、下方部材に上方部材を連結する連結部材の位置が、受け面より下方であるため見え難い。
【０００９】
間仕切り本体を形成する仕切壁板の下端部を漏水なしに確実に支持するために請求項６記載の発明が採用した手段は、前記間仕切り本体を仕切壁板で形成し、前記防水受け部の上面に凹溝を形成し、該凹溝に該仕切壁板の下端部を水密に嵌入して固定した請求項２又は３記載の浴室と室外の間仕切り構造である。
本発明にあっては、仕切壁板は、防水受け部の凹溝にその下端部を水密に嵌入して固定される。
【００１０】
閉状態の揺動扉及び仕切壁板が一列状の配置状態となる間仕切りを得るために請求項７記載の発明が採用した手段は、前記間仕切り本体を下部水切り片の有る揺動式扉と仕切壁板で形成し、前記防水受け部の上面に、受け面を形成した領域と凹溝を形成した領域を一列状に隣接させて備え、該揺動式扉が揺動したときに該下部水切り片を該受け面に摺接させると共に、該揺動式扉が閉状態のときに該下部水切り片の全域を該受け面に当接させ、該凹溝に該仕切壁板の下端部を水密に嵌入して固定した請求項２又は３記載の浴室と室外の間仕切り構造である。
本発明にあっては、閉状態の揺動扉及び仕切壁板が一列状の配置状態になり、仕切壁板は、防水受け部の凹溝にその下端部を水密に嵌入して固定され、また、揺動式扉は、開閉するときの下部水切り片を防水受け部の受け面に摺接させることで円滑に開閉でき、閉状態のときの下部水切り片の全域を防水受け部の受け面に当接させることで水密性を保つ。      
【００１１】
なお、一列状の配置状態になる閉状態の揺動扉及び仕切壁板の隣接する縦側縁どうしの間から漏水しないようにするために、請求項７記載の発明において、前記揺動式扉及び前記仕切壁板の隣接する縦側縁の各々にシール材を取着して、前記揺動式扉が閉状態のときにシール材どうしを水密に当接させることもある。この場合、閉状態の揺動式扉と隣接する仕切壁板がシール材で水密に当接するので、揺動式扉と隣接する仕切壁板の間に、従来必要とさた扉用枠体の縦枠部材が不要となり、施工が簡単となる。
【００１２】
閉状態の揺動扉及び仕切壁板が一列状の配置状態となる間仕切りの防水受け部を簡単に形成するために請求項８記載の発明が採用した手段は、前記防水受け部は、前記受け面を形成した領域及び前記凹溝を形成した領域の総和長さに相当する長さ寸法の上端開口の下方溝型部材と、前記受け面を形成した領域の長さに相当する長さ寸法の下端開口した幅広の溝型部及び前記凹溝を形成した領域の長さに相当する長さ寸法の下端開口した幅狭の溝型部を一体に形成すると共に、両溝型部の一方の側片を一直線状に延ばした上方溝型部材を備え、該下方溝型部材に該上方溝型部材の幅広の溝型部を覆いかぶせて、下方溝型部材の他方の側片の内面側と上方溝型部材の幅狭の溝型部の他方の側片の内面側とを対面させた請求項７記載の浴室と室外の間仕切り構造である。
本発明にあっては、下方溝型部材に上方溝型部材をかぶせることで、防水受け部を得ることができる。
【００１３】
閉状態の揺動扉及び仕切壁板が一列状の配置状態となる間仕切りの防水受け部を見栄えよく配置するために請求項９記載の発明が採用した手段は、前記下方溝型部材の他方の側片の外面側と上方溝型部材の幅広の溝型部の他方の側片の内面側とを対面させ、これら側片どうしを連結した請求項８記載の浴室と室外の間仕切り構造である。
である。
本発明にあっては、連結部材は、その位置が受け面より下方であるため見え難い。
【００１４】
防水床部より上方に間仕切りの見切りを得るために請求項１０記載の発明が採用した手段は、前記間仕切りは、上面が前記防水床部より上方へ突出するように据え付けた仕切架台と、該仕切架台の上面に下端部を水密に連結した仕切壁板を備えた請求項１記載の浴室と室外の間仕切り構造である。
本発明にあっては、仕切架台と仕切壁板の見切りとなる境界が防水床部より上方に位置する。
なお、請求項１０記載の発明において、前記仕切架台の上面における前記浴室内から浴室外へ向かう幅方向の寸法が前記仕切壁板より大きくすることで、仕切架台の上面に、連結する仕切壁板の位置の調整代を得ることができ、施工性の向上が図れる。
【００１５】
所定位置に仕切架台を確実に配置するために請求項１１記載の発明が採用した手段は、前記間仕切り領域に位置する土台の上に、前記仕切架台を据え付けた請求項１０記載の浴室と室外の間仕切り構造である。
本発明にあっては、不動の土台に据え付けた架台が移動することはない。
【００１６】
浴室内で間仕切り表面に生じた水滴を防水床部の内側へ導くために請求項１２記載の発明が採用した手段は、前記仕切架台から延長した防水片を前記防水床部の内側に位置させた請求項１０又は１１記載の浴室と室外の間仕切り構造である。
本発明にあっては、浴室内で仕切壁板及び仕切架台の表面から滴下した水滴は、防水片に案内されて防水床部の内側へ導かれる。
【発明の効果】
【００１７】
請求項１記載の本発明に係る浴室と室外の間仕切り構造は、防水床部より外側に間仕切りを設けることで、従来に比べて浴室内を広くすることができる。
請求項２記載の本発明に係る浴室と室外の間仕切り構造は、浴室内で間仕切り表面に生じた水滴を防水床部へ導くことができる。
【００１８】
請求項３記載の本発明に係る浴室と室外の間仕切り構造は、防水受け部を所定位置に確実に配置できる。
請求項４記載の本発明に係る浴室と室外の間仕切り構造は、揺動式扉の下部について、円滑に開閉できると共に閉状態のときの漏水を防止できる。
【００１９】
請求項５記載の本発明に係る浴室と室外の間仕切り構造は、防水受け部を見栄えよく配置できる。
請求項６記載の本発明に係る浴室と室外の間仕切り構造は、仕切壁板の下部を漏水なしに確実に支持できる。
【００２０】
請求項７記載の本発明に係る浴室と室外の間仕切り構造は、閉状態の揺動扉及び仕切壁板が一列状の配置状態となる間仕切りを得ることができ、仕切壁板の下部支持について漏水なしに確実に支持でき、揺動式扉の下部について円滑に開閉できると共に閉状態のときの漏水を防止できる。
請求項８記載の本発明に係る浴室と室外の間仕切り構造は、閉状態の揺動扉及び仕切壁板が一列状の配置状態となる間仕切りの防水受け部を簡単に形成できる。
【００２１】
請求項９記載の本発明に係る浴室と室外の間仕切り構造は、閉状態の揺動扉及び仕切壁板が一列状の配置状態となる間仕切りの防水受け部を見栄えよく配置できる。
請求項１０記載の本発明に係る浴室と室外の間仕切り構造は、防水床部より上方に間仕切りの見切りを得ることができる。
【００２２】
請求項１１記載の本発明に係る浴室と室外の間仕切り構造は、所定位置に仕切架台を確実に配置できる。
請求項１２記載の本発明に係る浴室と室外の間仕切り構造は、浴室内で間仕切り表面に生じた水滴を防水床部へ導くことができる。
【発明を実施するための最良の形態】
【００２３】
本発明に係る浴室と室外の間仕切り構造（以下、「本発明間仕切り構造」と言う。）を図面に示す実施形態に基づいて説明する。
【００２４】
（第１の実施の形態）
図１至図９は本発明間仕切り構造を採用した第１の実施の形態に係る施工例を示すものであり、図１は浴室１及び隣室４を断面して示す一部破断した平面図、図２は図１のＩＩ−ＩＩ線で断面して中間省略した正面図、図３（Ａ）は図１のＩＩＩ−ＩＩＩ線で断面して拡大した部分を示す正面図、同図（Ｂ）は仕切壁体１４の上下端部の連結構造を拡大して示す中間省略した正面図、図４（Ａ）は図１のＩＶ−ＩＶ線で断面した下半部を示す一部破断した左側面図、同図（Ｂ）は同図（Ａ）のｂ−ｂ線で断面して拡大した中間省略した平面図、図５は図１のＶ−Ｖ線で断面して拡大した部分を示す中間省略した正面図、図６は図１のＶＩ−ＶＩ線で断面して拡大した下半部を示す中間省略した左側面図、図７は浴室１及び隣室４の施工途中を示す平面図、図８（Ａ）（Ｂ）は浴室１と隣室４の境界部の施工途中を断面して示す正面図、図９（Ａ）（Ｂ）は防水受け部２６の施工手順を示す斜視図である。
【００２５】
本実施の形態に係る浴室１は、図１に示す如く、後側の浴槽設置領域２と手前側の洗い場領域３が設けられ、左側の隣室４と手前側のデッキ５が隣接している。浴室１と左側の隣室４の間は、浴槽設置領域２側に設けた固定壁式の間仕切り６及び洗い場領域３側に設けた揺動扉式の間仕切り７で仕切られ、浴室１と手前側のデッキ５の間は、引き戸８で仕切られている。浴室１は、浴槽設置領域２の防水床部を形成する浴槽設置用防水パン９（図７参照）と、洗い場領域３の防水床部を形成する洗い場形成用防水パン１０（同図参照）を備え、浴槽設置用防水パン９に浴槽１１を載設すると共に、洗い場形成用防水パン１０に床仕上材１２を敷設してある。隣室４は、脱衣室として用いられ、洗面化粧台（図示略）を設置して洗面室として兼用されることもある。上記防水パン９，１０は、ＦＲＰ（繊維強化プラスチック）で一体に形成したもの、または、ＦＲＰで別体に形成されて施工現場で水密に接合されるものが用いられ、右側縁部及び後側縁部に壁パネル４１，４２を立設してある。上記防水パン９，１０の間には、図６及び図７に示す如く、エプロン４７を立設するための凹溝２２が防水パン９，１０と一体に形成されている。
【００２６】
前記浴室１の浴槽設置領域２と左側の隣室４の間を仕切る間仕切り６は、図２に示す如く、浴室１の防水パン９と浴室外である隣室４の間に垂直に延びるように形成した間仕切り領域Ａに、両表面の一方６ａが浴室１内に面し他方６ｂが隣室４に面するように据え付けられている。間仕切り６は、所定位置に据え付けた仕切架台１３と仕切壁板１４を用い、防水パン９より上方へ突出する仕切架台１３の上面１３ａに、仕切壁板１４の下端部を水密に連結してある。仕切壁体１４は、透明又は半透明なガラス板又は樹脂板や、基板にタイル等の仕上板を貼着したパネル（図示略）が用いられ、天井１５にその上端部を水密に連結すると共に、壁パネル４２にその後端部を水密に連結して取り付けられている。仕切壁体１４は、図４に示す如く、前側縁にシール材１４ｄを取付けてある。
【００２７】
前記間仕切り６の仕切架台１３は、図２及び図３に示す如く、間仕切り領域Ａに位置する土台２３の上に据え付けた架台本体１６と、架台本体１６に取着した仕上板１７からなり、隣室４及び浴室１の各室内に露出する架台本体１６の表面を仕上板１７で覆ってある。架台本体１６は、合成樹脂、金属又は耐水処理が施された木質素材等の耐水性素材から構成され、上方横部材１６ａと下方横部材１６ｃを複数本の縦部材１６ｂで連結して枠組みされている。架台本体１６の据え付けは、土台２３に架台本体１６をビス止め（図示略）する等して行う。なお、架台本体１６は、土台２３の上に据え付けることなく、図示は省略したが、隣室４の床部１８の上に据え付けることもあり、また、土台２３が無い場合には、基礎２４の上に据え置いてコンクリート用ビスで固定することもある。仕上板１７は、耐水性のあるセメントボード等からなる下地板１７ａに複数枚のタイル１７ｂを貼着したパネルや、合成樹脂板等が用いられる。仕上板１７は、表面に飛散する水滴や湿気に耐える耐水性を備えている。
【００２８】
前記仕切架台１３は、図３に示す如く、架台本体１６の上面に取付けた連結具１９を用いて、仕切壁体１４の下端部を水密に連結してある。架台本体１６は、上面の左右方向に沿った幅方向の寸法Ｗ１が連結具１９の同幅方向の寸法Ｗ２より大きくなっており、上方横部材１６ａの上面に取付ける連結具１９の位置を変更できる調整代を設けてある。この調整代を設けるのは、天井１５に予め取付けてある連結具２０に仕切壁体１４の上端部を連結する位置が優先的に決まると共に、架台本体１６を据え付けるときに若干の誤差が生じるためであり、優先的に決まる仕切壁体１４の位置と架台本体１６の据え付け誤差を調整する必要があるためである。仕切架台１３は、その上面に調整代を設けることにより、据え付け誤差を修正する必要がなくなり、施工性が向上する。
【００２９】
前記仕切壁体１４の下端部を固定する連結具１９及びその上端部を固定する連結具２０は、図３（Ｂ）に示す如く、仕切壁体１４の各端部全域を緩衝材及びシール２１を介して外嵌する断面凹溝状の長尺材で成形されている。連結具２０は、取付具４５を用いて天井板又は野縁（図示略）に取り付けられている。取付具４５としては、ビス単独、または、Ｌ型金具とビスの組合せ等が用いられる。なお、仕切壁体１４の上下端面に嵌着用の凹溝が設けられているときには（図示略）、連結具１９，２０は、断面Ｔ字状の長尺材で成形することもある。
【００３０】
前記浴室１の洗い場領域３と左側の隣室４の間を仕切る間仕切り７は、図５に示す如く、起立した間仕切り本体である揺動式扉２５と、揺動式扉２５の下部が水密に当接する防水受け部２６を備え、防水受け部２６の前記間仕切り領域Ａから突出する側縁２６ｂを防水パン１０の内側に位置させてある。防水受け部２６は、その前後方向の長さが、揺動式扉２５の前後方向の全域をカバーできる長さ寸法となっており、閉状態（図５に示す状態）の揺動式扉２５の洗い場領域３に面する表面から滴下した水滴を、防水パン１０側へ確実に導くようにしてある。
【００３１】
前記間仕切り７の揺動式扉２５は、図４及び図５に示す如く、透明又は半透明なガラス板又は樹脂板等からなる扉板２５ａと、扉板２５ａの下端に取着した下部水切り片２５ｂと、扉板２５ａの揺動中心側の上下に取付けた蝶番２５ｃ（図４（Ａ）は下方のみを示す）とを備え、躯体柱２７に取付けた縦長の支持材２８に各蝶番２５ｃを取付けある。更に、揺動式扉２５は、前後両側縁及び上側縁の各々にシール材２５ｄを取着し、閉状態のときに、前記支持材２８，前記間仕切り６及び天井側見切り部材３３との間の水密性を保持することで、洗い場領域３から隣室４へ湿気や湯水等が漏れ出すのを阻止するようにしてある（図４（Ｂ）及び図５参照）。
【００３２】
前記間仕切り７の防水受け部２６は、図５に示す如く、前記間仕切り領域Ａに位置する土台２３の上に据え付けられて移動しないようになっており、その上面に平坦な受け面２６ａを形成し、前記揺動式扉２５が揺動するときに下部水切り片２５ｂを受け面２６ａに摺接させると共に、揺動式扉２５が閉状態のときに下部水切り片２５ｂの全域を受け面２６ａに当接させるようにしてある。揺動式扉２５は、開閉するときに下部水切り片２５ｂを防水受け部２６の受け面２６ａに摺接させることで円滑に開閉できると共に、閉状態のときにの下部水切り片２５ｂの全域を防水受け部２６の受け面２６ａに当接させることで水密性を保持することができる。防水受け部２６の受け面２６ａは、浴室１の洗い場領域３と隣室４の間の床面を形成することになる。
【００３３】
前記間仕切り７の防水受け部２６は、図８及び図９に示す如く、土台２３に受け材４６を介し又は介すこなくビス等からなる連結部材２９で固定した上端開口の下方溝型部材３０と、下端開口して上面３１ａに前記受け面２６ａを形成した上方溝型部材３１とを備え、下方溝型部材３０に上方溝型部材３１を覆いかぶせて、下方溝型部材３０で上方溝型部材３１を支持させると共に、上方溝型部材３１の一方の側片３１ｂ（前記側縁２６ｂ）を防水パン１０の内側に位置させ、上方溝型部材３１の他方の側片３１ｃを下方溝型部材３０の側片３０ｃにビス等の連結部材３２で連結して構成してある。防水受け部２６は、下方溝型部材３０及び連結部材２９が上方溝型部材３１で覆われて見えなく、また、下方溝型部材３０に上方溝型部材３１を連結する連結部材３２が、受け面２６ａより下方の側部に位置するために見え難くなり、全体の見栄えが良く、防水性にも優れている。下方溝型部材３０及び上方溝型部材３１は、ステンレススチールや合成樹脂素材等から成形され、耐水性と防錆性を備えている。
【００３４】
前記防水受け部２６と対峙するように天井１５に設けた前記見切り部材３３は、図５に示す如く、その前後方向の長さが、揺動式扉２５の前後方向の全域をカバーできる長さ寸法となっており、ステンレススチールや合成樹脂素材等からなる角パイプ又はＵ字溝型材等で形成され、取付具４５を用いて天井板又は野縁（図示略）に取り付けられている。
【００３５】
前記洗い場領域３の床面は、図１に示す如く、前記間仕切り７の防水受け部２６の際に排水構造３４を備え、洗い場領域３の床面を防水受け部２６へ向かって流れる排水を、排水構造３４で受け止めて防水受け部２６へ到達するのを防止してある。排水構造３４は、図５に示す如く、洗い場形成用防水パン１０に形成した排水用凹部３５へ高さ位置調整可能に挿入固定された目皿支持具３６と、目皿支持具３６に着脱自在に支持された目皿３７を備えている。洗い場領域３の床面は、洗い場領域３の目皿支持具３４を除く部分に床仕上材１２を敷設してある。排水用凹部３５へ目皿支持具３６を高さ位置調整可能に挿入固定するのは、目皿３７の表面と床仕上材１２の表面を、躓かないように段差のない同一面にするためであり、図８に示す如く、排水用凹部３５及び目皿支持具３６の対峙する面部の間に接着剤層３８を設け、接着剤層３８が硬化する前に、目皿支持具３６を適度に押し込んで接着剤層３８の厚みを調節し、硬化した該接着剤層３８で両者３５，３６を接合する。
【００３６】
前記洗い場形成用防水パン１０の排水用凹部３５は、図７に示す如く、前記隣室４及びデッキ５に隣接する前記洗い場３の内隅部Ｃに、該内隅部Ｃの両辺Ｃａ，Ｃｂに沿って延びる平面Ｌ字状に形成され、両辺Ｃａ，Ｃｂのいずれか一方に出入口を設ける仕様（図１の場合はＣａであり、後述する第２の実施の形態を示す図１０の場合はＣｂ）に簡単に対処できるようにしてある。平面Ｌ字状に形成された排水用凹部３５の前記目皿支持具３６が挿入されない部分については、耐水性の有る充填材を充填して埋めた後に、前記床仕上材１２で覆われる。なお、排水用凹部３５は、平面Ｌ字状に形成する以外に、図示は省略したが、前記両辺Ｃａ，Ｃｂのいずれか一方の辺に沿って延びるＩ字状に形成し、一方の辺に限定して出入口を設ける仕様に対処させることも勿論可能である。
【００３７】
前記目皿支持具３６は、図６に示す如く、四周の側板及び底板で囲まれて、目皿３７が着脱する上面側を開口した箱状となっており、底板の一方から他方へ排水勾配（矢符Ｇ）を形成し、底板の低い部分から垂設した排水管３６ａを、前記排水用凹部３５の排水口３５ａへ挿入してある。
【００３８】
前記洗い場形成用防水パン１０の上面に施される前記床仕上材１２は、図５に示す如く、防水パン１０の上面に接着する等して移動不能に載設した耐水性のある無機質のセメントボード等からなる仕上板接着用下地板３９と、該下地板３９に接着した複数枚の非透水性で無機質の磁器質タイル、せっき質タイル又は非透水性の石板等からなる仕上板４０とからなる。なお、仕上板接着用下地板３９にセメントボードを用いるときには、セメント状心板の平面的に広がる両表面側に補強ガラス繊維のメッシュシートを埋め込んで、両表面側を補強したものてあって、板内に曲げ応力が発生して弾性変形したときに、透水の原因となる大きな亀裂が生じることはなく、透水の原因とならない微細なクラック（マイクロクラック）が発生するものが選択される。
【００３９】
前記隣室４の床部１８は、図３及び図５に示す如く、木質下地合板４３と、木質下地合板４３に接着又はビス止めする等して移動不能に載設した仕上材４４からなる。仕上材４４は、耐水性のある無機質のセメントボード等からなる仕上板接着用下地板４４ａと、該下地板４４ａに接着した複数枚の非透水性で無機質の磁器質タイル、せっき質タイル又は非透水性の石板等からなる仕上板４４ｂとからなる耐水仕様となっている。なお、仕上板接着用下地板４４ａにセメントボードを用いるときには、前記洗い場領域３の床仕上材１２の仕上板接着用下地板３９に用いるものと同質のものが選択される。
【００４０】
（第２の実施の形態）
図１０至図１５は本発明間仕切り構造を採用した第２の実施の形態に係る施工例を示すものであり、図１０は浴室１，左側の隣室４及び手前側の隣室５５を断面して示す平面図、図１１（Ａ）は図１０のＸＩ−ＸＩ線で断面して中間省略した正面図、同図（Ｂ）は間仕切り５１の要部を拡大した正面図、同図（Ｃ）は間仕切り５１の別態様の要部を拡大した正面図、図１２は図１０のＸＩＩ−ＸＩＩ線で断面して拡大すると共に中間省略した間仕切り５２を示す左側面図、図１３（Ａ）は図１０のＸＩＩＩ−ＸＩＩＩ線で断面して拡大すると共に中間省略した間仕切り５３を示す左側面図、同図（Ｂ）（Ｃ）は防水受け部６６の施工手順を示す左側面図、図１４（Ａ）は一列状に並ぶ間仕切り５２，５３の下半部を示す斜視図、同図（Ｂ）は一列状に並ぶ間仕切り５２，５３を断面して拡大すると共に中間省略した平面図、図１５（Ａ）（Ｂ）は防水受け部６６の施工手順を示す斜視図である。
【００４１】
間仕切り５１は、図１０及び図１１に示す如く、浴室１の浴槽設置領域２及び洗い場領域３を形成する防水パン９，１０と浴室外である隣室４の間に垂直に延びるように形成した間仕切り領域Ａに、両表面の一方５１ａが浴室１内に面し他方５１ｂが隣室４に面するように据え付けられている。間仕切り５１は、図１１に示す如く、所定位置に据え付けた仕切架台１３と仕切壁板１４を備え、防水パン９より上方へ突出する仕切架台１３の上面１３ａに、仕切壁板１４の下端部を水密に連結してある。仕切壁体１４は、透明又は半透明なガラス板又は樹脂板や、基板にタイル等の仕上板を貼着したパネル（図示略）が用いられ、天井１５にその上端部を水密に連結すると共に、壁パネル４２に後端部を水密に連結して取り付けられている。間仕切り５１は、仕切架台１３と仕切壁板１４の見切りとなる境界が防水パン１０より上方に位置することになり、腰張り式の間仕切りを得ることができる。
【００４２】
前記間仕切り５１の仕切架台１３は、間仕切り領域Ａに位置する土台２３の上に据え付けた架台本体１６と、架台本体１６に取着した仕上板１７からなり、隣室４及び浴室１の各室内に露出する架台本体１６の表面を仕上板１７で覆ってある。該架台本体１６及び仕上板１７の構成は、前記第１の実施形態に係る間仕切り６の架台本体１６及び仕上板１７（図１乃至図３参照）と実質的に同一であるため、ここでの詳細な説明は省略する。
【００４３】
前記仕切壁体１４の下端部を固定する連結具１９及びその上端部を固定する連結具２０は、仕切壁体１４の端部を緩衝材及びシール２１を介して外嵌する断面凹溝状の長尺材で成形されている。連結具１９は、架台本体１６の上面に取付けられ、連結具２０は、天井１５の天井板又は野縁に取り付けられる。
【００４４】
前記間仕切り５１は、図１１（Ｃ）に示す如く、前記防水パン９，１０との間から漏水しないように、前記仕切架台１３から延長した防水片５４を防水パン９，１０の内側に位置させ、浴室１内で間仕切り表面に生じた水滴を防水パン９，１０へ導くようにしてある。防水片５４は、防水シート，合成樹脂板又は金属板等からなり、間仕切り５１の前後方向全域にわたって設けられ、その上方側が架台本体１６と耐水性の仕上板１７で挟持されるようになっている。
【００４５】
前記間仕切り５１は、浴室１及び／又は隣室４に面する仕上板１７に、水栓（図示略）を取付けるとき、仕切架台１３の空洞となっている内部に配管を配設して、仕切架台１３を有効利用することもある。
【００４６】
間仕切り５２，５３は、図１０に示す如く、浴室１の洗い場領域３を形成する防水パン１０と浴室外である手前の隣室５５の間に垂直に延びるように形成した間仕切り領域Ａ（図１２及び図１３参照）の左右方向に沿って一列状に据え付けられている。
【００４７】
前記間仕切り５２は、図１２及び図１４に示す如く、起立した間仕切り本体である揺動式扉２５と、揺動式扉２５の下部が水密に当接する防水受け部２６を備え、防水受け部２６の前記間仕切り領域Ａから突出する側縁２６ｂを防水パン１０の内側に位置させてある。防水受け部２６は、その前後方向の長さが、揺動式扉２５の前後方向の全域をカバーできる長さ寸法となっており、閉状態（図１２に示す状態）の揺動式扉２５の洗い場領域３に面する表面から滴下した水滴を、防水パン１０側へ確実に導くようにしてある。
【００４８】
前記揺動式扉２５は、左右両側縁及び上側縁の各々にシール材２５ｄを取着し、閉状態のときに、支持材２８，後述するす間仕切り５３及び天井側見切り部材３３との間の水密性を保持することで、洗い場領域３から隣室５５へ湿気等が漏れ出すのを阻止するようにしてある（図１２及び図１４（Ｂ）参照）。前記揺動式扉２５及び防水受け部２６は、前記第１の実施形態に係る間仕切り７の揺動式扉２５及び防水受け部２６と実質的に同一であるため、ここでの詳細な説明は省略する。なお、図１２に示す符号で前記第１の実施形態の図５に示した符号と同一のものは、第１の実施形態で説明した部材等と同一のものである。
【００４９】
前記間仕切り５３は、図１３及び図１４に示す如く、起立した間仕切り本体である仕切壁板６７と、仕切壁板６７の下部が水密に当接する防水受け部６６を備え、防水受け部６６の前記間仕切り領域Ａから突出する側縁６６ｂを防水パン１０の内側に位置させてある。防水受け部６６は、上面６６ａに、隣室５５側の凹溝６６ｃ及び洗い場３側の平坦な受け面６６ｄを形成し、凹溝６６ｃに仕切壁板６７の下端部を緩衝材及びシール２１を介して水密に嵌入して固定して、仕切壁板６７の洗い場領域３に面する表面から滴下した水滴を、受け面６６ｄで受け止めて防水パン１０側へ確実に導くようにしてある。
【００５０】
前記仕切壁体６７の上端部を固定する連結具２０は、仕切壁体６７の端部を緩衝材及びシール２１を介して外嵌する断面凹溝状の長尺材で成形されている。連結具２０は、その前後方向の長さが、仕切壁体６７の前後方向の全域をカバーできる長さ寸法となっており、取付具４５を用いて天井板又は野縁（図示略）に取り付けられている。仕切壁体６７は、前記第１の実施形態の仕切壁体１４と同様に、透明又は半透明なガラス板又は樹脂板や、基板にタイル等の仕上板を貼着したパネル（図示略）が用いられ、天井１５にその上端部を水密に連結すると共に、壁パネル４１にその右端部を水密に連結して取り付けられている。また、仕切壁体６７は、図１４に示す如く、左側縁にシール材６７ｄを取付けてある。
【００５１】
前記間仕切り５２の防水受け部２６及び間仕切り５３の防水受け部６６は、図１５に示す如く、連続した一つの防水受け部６８から形成されている。防水受け部６８は、防水受け部２６の受け面２６ａを形成した領域Ｍ及び前記防水受け部６６の凹溝６６ｃを形成した領域Ｎの総和長さに相当する長さ寸法の上端開口の下方溝型部材６０と、前記領域Ｍの長さに相当する長さ寸法の下端開口した幅広の溝型部６１ａ及び前記領域Ｎの長さに相当する長さ寸法の下端開口した幅狭の溝型部６１ｂを一体にすると共に、両溝型部６１ａ，６１ｂの一方の側片６１ｃを一直線状に延ばした上方溝型部材６１を備えている。防水受け部６６は、下方溝型部材６０に上方溝型部材６１の幅広の溝型部６１ａを覆いかぶせて、下方溝型部材６０の他方の側片６０ｄの内面側と上方溝型部材６１の幅狭の溝型部６１ａの他方の側片６１ｄの内面側とを対面させてある。このように、防水受け部６８は、下方溝型部材６０に上方溝型部材６１を覆いかぶせることで、一列状に延びる防水受け部２６，６６を得ることができる。防水受け部６８の領域Ｍの受け面２６ａは、浴室１の洗い場領域３と隣室５５の間の床面を形成することになる。
【００５２】
防水受け部６８の施工手順は、図１５に示す如く、土台２３の上に受け材４６を介し又は介すことなく上端開口の下方溝型部材６０に配置して、ビス等の連結部材２９で連結固定する。次に、下方溝型部材６０に上方溝型部材６１を覆いかぶせ、下方溝型部材６０の他方の側片６０ｄの外面側と上方溝型部材６１の幅広の溝型部６１ａの他方の側片６１ｄの内面側とを対面させ、これら側片６０ｄ，６１ｄどうしをビス等の連結部材３２で連結して防水受け部６８の施工を完了する。防水受け部６８は、下方溝型部材６０を固定する連結部材２９が上方溝型部材６１で覆われて見えなく、下方溝型部材６０に上方溝型部材６１を連結する連結部材３２が、受け面２６ａより下方の側部に位置するために見え難くなり、全体を見栄え良くでき防水性にも優れている。下方溝型部材６０及び上方溝型部材６１は、ステンレススチールや合成樹脂素材等から成形され、耐水性と防錆性を備えている。
【００５３】
前記手前側の隣室５５の床部５６は、図１２及び図１３に示す如く、木質下地合板５７と、木質下地合板５７に接着又はビス止めする等して移動不能に載設した仕上材５８からなる。仕上材５８は、耐水性のある無機質のセメントボード等からなる仕上板接着用下地板５８ａと、該下地板５８ａに接着した複数枚の非透水性で無機質の磁器質タイル、せっき質タイル又は非透水性の石板等からなる仕上板５８ｂとからなる耐水仕様となっている。なお、仕上板接着用下地板５８ａにセメントボードを用いるときには、前記第１の実施の形態の洗い場領域３の床仕上材１２（図５参照）の仕上板接着用下地板３９に用いるものと同質のものが選択される。
【００５４】
（第３の実施の形態）
図１６は本発明間仕切り構造を採用した第３の実施の形態に係る施工例の要部を拡大して示す正面断面図である。
【００５５】
本実施の形態が図５に示す前記第１の実施の形態と大きく相違する点は、洗い場領域３の防水床部７０を防水パンで形成することなく、土間の上に打設したコンリート層からなる基盤７１の上に敷設した防水層７２で形成したことである。防水層７２は、基盤７１に固定した発泡樹脂等からなる断熱層７３と、断熱層７３に固定した下地板７４と、下地板７４に固定したタイル等の複数枚の仕上板７５から構成されている。下地板７４は、セメント状心板の平面的に広がる両表面側に補強ガラス繊維のメッシュシートを埋め込んで、両表面側を補強したものてあって、地震等で板内に曲げ応力が発生して弾性変形したとしても、透水の原因となる大きな亀裂が生じることはなく、透水の原因とならない微細なクラック（マイクロクラック）が発生するものが選択される。なお、防水床部７０は、断熱層７３を省略して下地板７４を基盤７１に固定する場合や、断熱層７３及び下地板７４を省略して仕上板７５を基盤７１に直接固定する場合もある。また、前記基盤７１は、ステンレススチール，合成樹脂又は耐水性木材等の湿気で腐食しにくい素材で形成した架台で構成し、現場の仕様に対応させることもある。
【００５６】
本実施の形態は、土台２３及び受け材４６に防水シート又は樹脂シート等からなる防水片７６を介して防水板７７を取り付け、湿気が土台２３や受け材４６に触れないようにしてある。施工手順としては、防水片７６及び防水板７７を施工した後に防水床部７０を設けるようになる。また、本実施の形態は、バリアフリーにするために、隣室４の床部１８と、防水受け部２６の受け面２６ａと、洗い場領域３の出入り口付近の床面とが略面一となるようにすると共に、洗い場領域３から隣室４へ漏水しないように排水構造３４を設けてある。
【００５７】
本実施の形態の間仕切り７は、前記第１の実施の形態（図５参照）と同様に、防水受け部２６の間仕切り領域Ａから突出する側縁２６ｂを防水床部７０の内側に位置させ、閉状態の揺動式扉２５の洗い場領域３に面する表面から滴下した水滴を、漏水させることなく防水床部７０側へ確実に導くようにしてある。
【００５８】
（第４の実施の形態）
図１７は本発明間仕切り構造を採用した第４の実施の形態に係る施工例の要部を拡大して示す正面断面図である。
【００５９】
本実施の形態が図１１に示す前記第２の実施の形態と大きく相違する点は、洗い場領域３の防水床部７０を防水パンで形成することなく、土間の上に打設したコンリート層等からなる基盤７１の上に敷設した防水層７２で形成し、仕切架台１３の架台本体１６と下地板１７ａに挟み込んだ防水片５４を、基礎２４と防水床部７０の境界まで延設したことである。この相違点以外の構成は、前記第２の実施の形態と同一であり、同一符号は同一構成部材等にを示している。防水床部７０は、前記第３の実施の形態の場合と実質的に同一である。
【図面の簡単な説明】
【００６０】
【図１】本発明間仕切り構造を採用した第１の実施の形態に係る施工例を示すものであり、浴室及び隣室を断面して示す一部破断した平面図である。
【図２】図１のＩＩ−ＩＩ線で断面して中間省略した正面図である。
【図３】（Ａ）は図１のＩＩＩ−ＩＩＩ線で断面して拡大した部分を示す正面図、（Ｂ）は仕切壁体の上下端部の連結構造を拡大して示す中間省略した正面図である。
【図４】（Ａ）は図１のＩＶ−ＩＶ線で断面した下半部を示す左側面図、（Ｂ）は同図（Ａ）のｂ−ｂ線で断面して拡大した中間省略した平面図である。
【図５】図１のＶ−Ｖ線で断面して拡大した部分を示す中間省略した正面図である。
【図６】図１のＶＩ−ＶＩ線で断面して拡大した下半部を示す中間省略した左側面図である。
【図７】同実施の形態における浴室及び隣室の施工途中を示す平面図である。
【図８】（Ａ）（Ｂ）は同実施の形態における浴室と隣室の境界部の施工途中を断面して示す正面図である。
【図９】（Ａ）（Ｂ）は同実施の形態における防水受け部の施工手順を示す斜視図である。
【図１０】本発明間仕切り構造を採用した第２の実施の形態に係る施工例を示すものであり、浴室及び二つの隣室を断面して示す平面図である。
【図１１】（Ａ）は図１０のＸＩ−ＸＩ線で断面して中間省略した間仕切りを示す正面図、（Ｂ）は間仕切りの要部を拡大した正面図、同図（Ｃ）は間仕切りの別態様の要部を拡大した正面図である。
【図１２】図１０のＸＩＩ−ＸＩＩ線で断面して拡大すると共に中間省略した間仕切りを示す左側面図である。
【図１３】（Ａ）は図１０のＸＩＩＩ−ＸＩＩＩ線で断面して拡大すると共に中間省略した仕切りを示す左側面図、（Ｂ）（Ｃ）は防水受け部の施工手順を示す左側面図である。
【図１４】（Ａ）は同実施の形態における一列状に並ぶ二つの間仕切りの下半部を示す斜視図、（Ｂ）は一列状に並ぶ二つの間仕切りを断面して拡大すると共に中間省略した平面図である。
【図１５】同実施の形態における防水受け部の施工手順を示す斜視図である。
【図１６】本発明間仕切り構造を採用した第３の実施の形態に係る施工例の要部を拡大して示す正面断面図である。
【図１７】本発明間仕切り構造を採用した第４の実施の形態に係る施工例の要部を拡大して示す正面断面図である。
【符号の説明】
【００６１】
１…浴室，２…浴槽設置領域，３…洗い場領域、４…隣室、６，７，５１，５２，５３…間仕切り、９，１０…防水パン、１３…仕切架台、１４，６７…仕切壁板、２５…揺動式扉、２６，６６…防水受け部、７０…防水床部
【図１】
2005248419.tif 000003
【図２】
2005248419.tif 000004
【図３】
2005248419.tif 000005
【図４】
2005248419.tif 000006
【図５】
2005248419.tif 000007
【図６】
2005248419.tif 000008
【図７】
2005248419.tif 000009
【図８】
2005248419.tif 000010
【図９】
2005248419.tif 000011
【図１０】
2005248419.tif 000012
【図１１】
2005248419.tif 000013
【図１２】
2005248419.tif 000014
【図１３】
2005248419.tif 000015
【図１４】
2005248419.tif 000016
【図１５】
2005248419.tif 000017
【図１６】
2005248419.tif 000018
【図１７】
2005248419.tif 000019